(57)【要約】  ユーザの利便性が低いという問題を解決する携帯端末を提供する。  筐体Ａに表示部１Ａが備わり、筐体Ｂに表示部１Ｂが備わっている。検出部２は、筐体ＡおよびＢの少なくとも一方の姿勢と、筐体ＡおよびＢ間の開閉角度とを検出する。実行部３は、アプリケーションを実行する。制御部４は、検出部２の検出結果に応じた表示スタイルでアプリケーションの画面を表示部１Ａおよび１Ｂの少なくとも一方に表示する。
2012017763.tif 000002
【特許請求の範囲】
【請求項１】
２つの筐体が互いに開閉可能に接続された携帯端末であって、
２つの筐体のそれぞれに備わった２つの表示部と、
前記２つの筐体の少なくとも一方の姿勢と、前記筐体間の開閉角度とを検出する検出部と、
第一アプリケーションを実行可能な実行部と、
前記実行部が前記第一アプリケーションを実行した場合、前記検出部の検出結果に応じた表示スタイルで前記第一のアプリケーションの画面を前記表示部に表示する制御部と、を含む携帯端末。
【請求項２】
請求項１に記載の携帯端末において、
前記制御部は、前記検出部の検出結果に基づいて、各筐体における、前記筐体間の開閉軸に並行であり、かつ、当該開閉軸から遠い方の端辺のそれぞれを通る仮想面の向きおよび傾きを求め、該仮想面の向きおよび傾きに応じて前記表示スタイルを調整する、携帯端末。
【請求項３】
請求項２に記載の携帯端末において、
前記制御部は、前記仮想面上の前記開閉軸に垂直な第一方向の初期状態に対する当該第一方向の傾きの大きさである第一傾斜量が第一所定値以上の場合、前記画面を、前記表示部のうち、当該仮想面の第一方向が傾いた側の筐体に備わった表示部に表示する、携帯端末。
【請求項４】
請求項３に記載の携帯端末において、
前記制御部は、前記第一傾斜量が前記第一所定値未満の場合、前記画面を、前記表示部の両方に渡って表示する、携帯端末。
【請求項５】
請求項４に記載の携帯端末において、
前記アプリケーションは、前記画面が前記表示部の両方に渡って表示する両画面表示が可能か否かを示す可否情報を生成し、
前記制御部は、前記第一傾斜量が前記第一所定値未満であり、かつ、前記可否情報が両画面表示の可能を示す場合、前記画面を、前記表示部の両方に渡って表示する、携帯端末。
【請求項６】
請求項２ないし５のいずれか１項に記載の携帯端末において、
前記制御部は、前記仮想面上の前記開閉軸に垂直な第一方向の水平面に対する傾きの大きさである第二傾斜量が第一閾値以上になると、前記画面を、前記表示部上の前記開閉軸と垂直な方向に沿って表示し、前記仮想面上の前記開閉軸に並行な第二方向の水平面に対する傾きの大きさである第三傾斜量が第二閾値以上になると、前記画面を、前記表示部上の前記開閉軸と平行な方向に沿って表示する、携帯端末。
【請求項７】
請求項２ないし６のいずれか１項に記載の携帯端末において、
前記制御部は、前記仮想面上の前記開閉軸に垂直な第一方向の水平面に対する傾きの大きさである第二傾斜量、および、前記仮想面上の前記開閉軸に並行な第二方向の水平面に対する傾きの大きさである第三傾斜量が第三閾値未満の場合、前記画面を前記表示部のそれぞれに互いに逆向きになるように表示し、前記第二傾斜量または前記第三傾斜量が前記第三閾値以上の場合、前記画面を前記表示部のそれぞれで同じ向きになるように表示する、携帯端末。
【請求項８】
請求項２ないし７のいずれか１項に記載の携帯端末において、
前記実行部は、複数の第二アプリケーションのそれぞれを個別に前記筐体のいずれかに割り当てて実行可能であり、
前記制御部は、前記実行部が第二アプリケーションを実行した場合、前記仮想面上の前記開閉軸に垂直な第一方向の初期状態に対する傾きの大きさである第一傾斜量が第二所定値以上であると、前記仮想面の第一方向が傾いた側の筐体に割り当てられた第二アプリケーションのみを動作させ、前記第一傾斜量が前記第二所定値未満であると、各筐体に割り当てられた第二アプリケーションを動作させる、携帯端末。
【請求項９】
請求項２ないし８のいずれか１項に記載の携帯端末において、
前記実行部は、各筐体に個別に割り当てられた２つの単体機能と、各筐体に共通する共通機能とを含む第三アプリケーションを実行可能であり、
前記制御部は、前記実行部が第三アプリケーションを実行した場合、前記仮想面上の前記開閉軸に垂直な第一方向の初期状態に対する傾きの大きさである第一傾斜量が第三所定値以上であると、前記仮想面の第一方向が傾いた側の筐体に割り当てられた単体機能を前記第三アプリケーションに行わせ、前記第一傾斜量が前記第三所定値未満であると、前記共通機能を前記機能アプリケーションに行わせる、携帯端末。
【請求項１０】
請求項１ないし９のいずれか１項に記載の携帯端末において、
前記制御部は、前記検出部の検出結果に基づいて、前記画面を表示してから、前記筐体の一方が当該筐体に備わった表示部の法線を軸に第一所定角度以上回転されたか否かを判断し、前記筐体の一方が前記第一所定角度以上回転された場合、当該筐体に備わった表示部に表示されている画面である回転対象画面の向きを、当該筐体の回転方向とは逆方向に第二所定角度だけ回転させるとともに、当該筐体とは別の筐体に備わった表示部に表示されている画面の向きを、前記回転対象画面と同じ向きにする、携帯端末。
【請求項１１】
請求項１ないし１０のいずれか１項に記載の携帯端末において、
前記実行部は、ユーザに通知する通知情報を生成する第四アプリケーションを実行可能であり、
前記制御部は、前記第四アプリケーションが通知情報を生成した場合、前記検出部の検出結果に基づいて、各筐体のうち、前記筐体間の開閉軸を中心とする回転の回転量が少ない方の筐体を特定し、当該特定した筐体に備わった表示部に前記通知情報を表示する、携帯端末。
【請求項１２】
２つの筐体が互いに開閉可能に接続された携帯端末であって、
各筐体に備わった２つの表示部と、
前記２つの筐体のそれぞれの姿勢を検出する検出部と、
第一アプリケーションを実行可能な実行部と、
前記実行部が前記第一アプリケーションを実行した場合、前記検出部の検出結果に応じた表示スタイルで前記第一のアプリケーションの画面を前記表示部に表示する制御部と、を含む携帯端末。
【請求項１３】
互いに開閉可能に接続された２つの筐体のそれぞれに備わった２つの表示部を含む携帯端末による表示制御方法であって、
前記２つの筐体の少なくとも一方の姿勢と、前記筐体間の開閉角度とを検出し、
第一アプリケーションが前記携帯端末にて実行された場合、当該検出結果に応じた表示スタイルで前記第一のアプリケーションの画面を前記表示部に表示する、表示制御方法。
【発明の詳細な説明】
【技術分野】
【０００１】
本発明は、２つの筐体が互いに開閉可能に接続された携帯端末および表示制御方法に関する。
【背景技術】
【０００２】
携帯端末には、２つの筐体が互いに開閉可能に接続され、各筐体に表示画面を設けられた２画面端末がある。２画面端末のユーザは、周囲の状況などに応じて、筐体間の開閉角度や２画面端末の持ち方などの使用スタイルを変更することがある。また、使用スタイルに応じて表示画面の見易さやアプリケーションの使い易さなどが変化することがある。【０００３】
特許文献１には、使用スタイルの変更に応じて、表示内容を切り替える表示装置が記載されている。【０００４】
具体的には、表示装置は、筐体間の開閉角度が３６０°になったか否かを検出する開閉検出手段と、筐体間の開閉角度が３６０°になったときに、二つの筐体のうち下方にある筐体を検出する角速度センサとを含む。【０００５】
表示装置は、開閉検出手段にて筐体間の開閉角度が３６０°になったことが検出されると、角速度センサにて検出された下方にある筐体に設けられた表示画面に表示されている表示情報を、上方の筐体に設けられた表示画面に表示する。【０００６】
これにより、ユーザから見えない位置にある、下方にある筐体に設けられた表示画面の表示内容を、上方の筐体に設けられた表示画面で確認することが可能になる。
【先行技術文献】
【特許文献】
【０００７】
【特許文献１】特開２００９−２２２９５１号公報
【発明の概要】
【発明が解決しようとする課題】
【０００８】
２画面端末の使用スタイルは様々であり、特許文献１に記載の表示装置のように、筐体間の開閉角度が３６０°であるか否かと、各筐体の上下関係しか検出できないと、ユーザの利便性が低いという問題があった。【０００９】
本発明の目的は、上記の課題である、ユーザの利便性が低いという問題を解決する携帯端末および表示制御方法を提供することである。
【課題を解決するための手段】
【００１０】
本発明による第一の携帯端末は、２つの筐体が互いに開閉可能に接続された携帯端末であって、２つの筐体のそれぞれに備わった２つの表示部と、前記２つの筐体の少なくとも一方の姿勢と、前記筐体間の開閉角度とを検出する検出部と、第一アプリケーションを実行可能な実行部と、前記実行部が前記第一アプリケーションを実行した場合、前記検出部の検出結果に応じた表示スタイルで前記第一のアプリケーションの画面を前記表示部に表示する制御部と、を含む携帯端末。【００１１】
また、本発明による第二の携帯端末は、２つの筐体が互いに開閉可能に接続された携帯端末であって、各筐体に備わった２つの表示部と、前記２つの筐体のそれぞれの姿勢を検出する検出部と、第一アプリケーションを実行可能な実行部と、前記実行部が前記第一アプリケーションを実行した場合、前記検出部の検出結果に応じた表示スタイルで前記第一のアプリケーションの画面を前記表示部に表示する制御部と、を含む。【００１２】
また、本発明による表示制御方法は、互いに開閉可能に接続された２つの筐体のそれぞれに備わった２つの表示部を含む携帯端末による表示制御方法であって、前記２つの筐体の少なくとも一方の姿勢と、前記筐体間の開閉角度とを検出し、第一アプリケーションが前記携帯端末にて実行された場合、当該検出結果に応じた表示スタイルで前記第一のアプリケーションの画面を前記表示部に表示する。
【発明の効果】
【００１３】
本発明によれば、ユーザの利便性を向上させることが可能になる。
【図面の簡単な説明】
【００１４】
【図１】本発明の第一の実施形態の携帯端末を示した概観図である。
【図２】本発明の第一の実施形態の携帯端末の構成を示すブロック図である。
【図３】仮想面の一例を示す図である。
【図４】仮想面の初期状態の一例を示す図である。
【図５Ａ】仮想面の状態の一例を示す図である。
【図５Ｂ】仮想面の状態の他の例を示す図である。
【図５Ｃ】仮想面の状態の他の例を示す図である。
【図６Ａ】ユーザから見た表示部の並び方の一例を示す図である。
【図６Ｂ】ユーザから見た表示部の並び方の他の例を示す図である。
【図７】第一の実施形態の携帯端末の動作の一例を説明するための図である。
【図８】第二の実施形態の携帯端末の構成を示すブロック図である。
【図９】第二の実施形態の携帯端末の動作の一例を説明するための図である。
【図１０】第三の実施形態の携帯端末の動作の一例を説明するための図である。
【図１１Ａ】表示情報の向きの一例を示す図である。
【図１１Ｂ】表示情報の向きの他の例を示す図である。
【図１２】第五の実施形態の携帯端末の構成を示すブロック図である。
【図１３Ａ】表示情報の表示状態の一例を説明するための図である。
【図１３Ｂ】表示情報の表示状態の他の例を説明するための図である。
【図１３Ｃ】表示情報の表示状態の他の例を説明するための図である。
【図１３Ｄ】表示情報の表示状態の他の例を説明するための図である。
【図１３Ｅ】表示情報の表示状態の他の例を説明するための図である。
【図１３Ｆ】表示情報の表示状態の他の例を説明するための図である。
【図１３Ｇ】表示情報の表示状態の他の例を説明するための図である。
【図１４】表示情報の一例を示す図である。
【発明を実施するための形態】
【００１５】
以下、本発明の実施形態について図面を参照して説明する。なお、以下の説明では、同じ機能を含む構成には同じ符号を付け、その説明を省略する場合がある。
【００１６】
図１は、本発明の第一の実施形態の携帯端末を示した概観図である。図１において、携帯端末１は、筐体ＡおよびＢを含む。
【００１７】
筐体ＡおよびＢは、ヒンジ機構などによって、互いに予め定められた開閉軸Ｃを中心に回転可能に接続されることで、互いに開閉可能に接続される。また、筐体Ａには表示部１Ａが備わり、筐体Ｂには表示部１Ｂが備わっている。
【００１８】
図２は、携帯端末１の構成を示すブロック図である。図２において、携帯端末１は、表示部１Ａおよび１Ｂと、検出部２と、実行部３と、制御部４とを含む。
【００１９】
検出部２は、筐体ＡおよびＢの少なくとも一方の姿勢と、筐体ＡおよびＢ間の開閉角度とを検出する。以下では、検出部２は、筐体Ａの姿勢を検出するものとする。
【００２０】
検出部２は、姿勢検出部２Ａと、開閉角度検出部２Ｂとを含む。
【００２１】
姿勢検出部２Ａは、筐体Ａの姿勢を検出する。姿勢検出部２Ａは、例えば、筐体Ａの内部に備わった、地軸センサおよび３軸角速度センサを含む６軸センサであり、筐体Ａの各面が向いている方位と、筐体Ａの水平面などの基準面に対する傾きなどを筐体Ａの姿勢として検出する。
【００２２】
開閉角度検出部２Ｂは、筐体ＡおよびＢ間の開閉角度を検出する。
【００２３】
実行部３は、種々のアプリケーションプログラム（以下、アプリケーションと略す）を実行することが可能である。本実施形態では、実行部３は、表示部１Ａおよび１Ｂに表示するための表示情報を生成するアプリケーションを実行する。なお、このアプリケーションは、第一アプリケーションの一例であり、表示情報の他に、表示情報を表示部１Ａおよび１Ｂの両方に渡って表示する両画面表示が可能か否かを示す可否情報を生成してもよい。また、アプリケーションが生成する表示情報は、そのアプリケーションの画面の一例である。
【００２４】
実行部３がアプリケーションを実行した場合、制御部４は、そのアプリケーションが生成した表示情報を、検出部２の検出結果に応じて表示スタイルを調整して表示部１Ａおよび１Ｂの少なくとも一方に表示する。換言すれば、制御部４は、検出部２の検出結果に応じた表示スタイルでアプリケーションの画面を表示部１Ａおよび１Ｂの少なくとも一方に表示する。表示スタイルは、表示情報の向きや表示場所などである。
【００２５】
以下、制御部４の処理をより具体的に説明する。
【００２６】
制御部４は、検出部２の検出結果に基づいて、筐体ＡおよびＢのそれぞれにおける、開閉軸Ｃに平行であり、かつ、開閉軸Ｃから遠い方の端辺のそれぞれを通る仮想的な面である仮想面の向きおよび傾きを、携帯端末１の傾き具合として求める。そして、制御部４は、傾き具合に応じて表示スタイルを調整する。
【００２７】
図３は、仮想面の一例を示す図である。図３で示されたように、仮想面Ｄは、筐体Ａの端辺のうち、開閉軸Ｃに平行であり、かつ、開閉軸Ｃから遠い方の端辺Ｄ１と、筐体Ｂの端辺のうち、開閉軸Ｃに平行であり、かつ、開閉軸Ｃから遠い方の端辺Ｄ２とを通る。
【００２８】
先ず、表示情報の表示場所について説明する。
【００２９】
制御部４は、仮想面Ｄ上の開閉軸Ｃに垂直な第一方向（図３のｙ方向）の初期状態に対する、現在の第一方向の傾きの大きさである第一傾斜量と、その傾きの向きとを求める。以下では、この傾きの向きに応じて第一傾斜量に符号を付けることで、傾きの向きを第一傾斜量に符号で表すものとする。より具体的には、仮想面Ｄの第一方向が表示部Ａの側に傾いた場合、第一傾斜量に正の符号を付け、仮想面Ｄの第一方向が表示部Ｂの側に傾いた場合、第一傾斜量に負の符号を付けるものとする。
【００３０】
なお、第一方向の初期状態は、携帯端末１が起動されたときの仮想面Ｄの第一方向、携帯端末１が表示スタイルを調整する機能を実行したときの仮想面Ｄの第一方向、または、ユーザにて指定されたときの仮想面Ｄの第一方向などである。なお、初期状態では、図４に示すように、仮想面Ｄがユーザから見て概ね正面を向くように携帯端末１が使用されていると仮定している。
【００３１】
そして、制御部４は、負の符号を除いた第一傾斜量（第一傾斜量の絶対値）が予め定められた第一所定値以上か否かを判断する。
【００３２】
負の符号を除いた第一傾斜量が第一所定値以上の場合、制御部４は、第一傾斜量の符号に基づいて、表示部１Ａおよび１Ｂのうち、仮想面Ｄの第一方向が傾いた側にある表示部を特定し、その特定した表示部に表示情報を表示する。これにより、例えば、第一傾斜量が正の場合、図５Ａに示したように、仮想面Ｄが表示部１Ａ側に傾いていることになるので、表示情報は表示部１Ａに表示され、第一傾斜量が負の場合、図５Ｂに示したように、仮想面Ｄが表示部１Ｂ側に傾いていることになるので、表示情報は表示部１Ｂに表示される。
【００３３】
また、負の符号を除いた第一傾斜量が第一所定値未満の場合、制御部４は、表示情報を、表示部１Ａおよび１Ｂに渡って表示する。これにより、図５Ｃに示したように、仮想面Ｄがユーザから見て正面を向いている場合、表示情報は、表示部１Ａおよび１Ｂに渡って表示される。このとき、制御部４は、表示情報を表示部１Ａおよび１Ｂの全体に表示する全画面表示を行ってもよい。
【００３４】
なお、アプリケーションが可否情報を生成しているときには、第一傾斜量が第一所定値未満であり、かつ、可否情報が両画面表示の可能を示す場合に、制御部４は、表示情報を表示部１Ａおよび１Ｂに渡って表示する。また、第一傾斜量が第一所定値未満であっても、可否情報が両画面表示の不可を示す場合、制御部４は、表示情報を、表示部１Ａおよび１Ｂの一方に表示する。
【００３５】
なお、第一所定値は、制御部４にて求められてもよい。例えば、制御部４は、開閉角度検出部２Ｂの検出結果である開閉角度に応じて求めてもよい。このとき、開閉角度が１８０°から離れるほど、第一傾斜量が小さくても、第一方向が傾いた側の表示部が別の筐体に隠れやすくなり、表示部１Ａおよび１Ｂを同時に視認し辛くなるので、制御部４は、開閉角度が１８０°から離れるほど、第一所定値を小さくすることが望ましい。
【００３６】
次に表示情報の向きについて説明する。
【００３７】
制御部４は、仮想面Ｄの第一方向（図３のｙ方向）の水平面に対する傾きの大きさである第二傾斜量と、仮想面Ｄ上の開閉軸Ｃに平行な第二方向（図３のｘ方向）の傾きの大きさである第三傾斜量とを求める。
【００３８】
制御部４は、第二傾斜量および第三傾斜量に応じて、表示情報の向きを調整する。
【００３９】
例えば、第二傾斜量が予め定められた第一閾値以上になると、図６Ａに示すように、表示部１Ａおよび１Ｂがユーザから見て縦に並んでいると判断して、表示部１Ａおよび１Ｂ上の開閉軸Ｃと垂直な方向に沿って表示情報を表示する。これは、ユーザが携帯端末１を手に持って表示部１Ａおよび１Ｂを縦に並べて使用する場合、仮想面Ｄの第一方向を、水平面に対してユーザから見て手前側に傾けて使用することが多いためである。
【００４０】
また、第三傾斜量が予め定められた第二閾値以上になると、制御部４は、図６Ｂに示すように、表示部１Ａおよび１Ｂがユーザから見て横に並んでいると判断して、表示部１Ａおよび１Ｂ上の開閉軸Ｃと平行な方向に沿って表示情報を表示する。これは、ユーザが携帯端末１を手に持って表示部１Ａおよび１Ｂを横に並べて使用する場合、仮想面Ｄの第二方向を、水平面に対してユーザから見て手前側に傾けて使用することが多いためである。
【００４１】
なお、図６Ａおよび図６Ｂでは、表示情報の向きが矢印で表されており、矢印の矢先の方が、表示情報の上方を表している。なお、制御部４は、表示部１Ａおよび１Ｂの表示面内の仮想面Ｄの傾いた側が表示情報の下方になるように表示情報を表示している。また、第二傾斜量が第一閾値未満の場合や第三傾斜量が第二閾値未満の場合、制御部４は、所定の向きの表示情報を表示する。このとき、表示部１Ａおよび１Ｂごとに異なる向きの表示情報を表示してもよい。
【００４２】
また、制御部４は、検出部２の検出結果に基づいて、筐体ＡおよびＢの少なくとも一方が表示部１Ａの法線を軸に第一所定角度以上回転されたか否かを判断する。なお、所定角度は、例えば、９０°または９０°より少し小さい程度の値である。
【００４３】
筐体ＡおよびＢの少なくとも一方が所定角度以上回転された場合、制御部４は、その回転された筐体に備わった表示部に表示されている表示情報である回転対象表示情報の向きを、その回転された筐体の回転方向とは逆方向に、第二所定角度だけ回転させる。なお、第二所定角度は、例えば、９０°であるとする。
【００４４】
また、所定の角度以上回転されていない筐体があると、制御部４は、その回転されていない筐体に備わった表示部に表示されている表示情報の向きを、回転対象表示情報と同じ向きにする。
【００４５】
次に、携帯端末１の動作の一例を説明する。図７は、携帯端末１の動作の一例を説明するための図である。なお、第一所定角度および第二所定角度は、９０度であるとする。
【００４６】
先ず、携帯端末１は起動時に図７に示す状態７０１にあったとする。状態７０１では、開閉角度が１８０°であり、仮想面Ｄが水平であり、ユーザから見て表示部１Ａおよび１Ｂが縦に並んでいるものとする。なお、状態７０１における仮想面の第一方向の傾きが、その仮想面の第一方向の傾きの初期状態であるとする。また、状態７０１では、第二傾斜量が第一閾値未満であり、第三傾斜量が第二閾値未満であるとする。
【００４７】
携帯端末１が状態７０１の状態において、実行部３がアプリケーションを実行し、そのアプリケーションが表示情報と、両画面表示が可能であることを示す可否情報を生成したとする。
【００４８】
この場合、制御部４は、表示情報を表示部１Ａおよび１Ｂに渡って表示する。このとき、第二傾斜量が第一閾値未満であり、第三傾斜量が第二閾値未満であるので、制御部４は、検出部２の検出結果からは、表示情報の向きを決定することができない。このため、制御部４は、表示情報の向きを予め定められた初期スタイルで表示する。初期スタイルは、表示部１Ａおよび１Ｂ上の開閉軸と平行な方向に沿って表示する状態であるとする。
【００４９】
したがって、制御部４は、表示情報を状態７０２のように表示する。なお、図７では、図６Ａおよび図６Ｂと同様に、表示情報の向きが矢印で表されている。
【００５０】
この場合、ユーザから見て表示情報の向きが横になっているが、ユーザは、筐体Ｂを、筐体ＡおよびＢが閉じる方に回転させることで、仮想面の第二傾斜量を第一閾値以上になるまで増やす。これにより、制御部４は、第二傾斜量が第一閾値以上になったと判断して、表示情報を、状態７０３のように、表示部１Ａおよび１Ｂ上の開閉軸と垂直な方向に沿って表示する。
【００５１】
その後、ユーザは、筐体Ａを表示部１Ａの法線を軸にして９０°回転させて、ユーザから見て表示部１Ａおよび１Ｂを横に並べたとする。この場合、制御部４は、表示部１Ａの表示情報の向きを筐体Ａの回転方向とは逆向きに９０°回転させて、携帯端末１を状態７０４にし、その後、筐体Ｂの表示部１Ｂの表示情報の向きを表示部１Ａの表示情報と同じ向きにして、携帯端末を状態７０５にする。
【００５２】
なお、制御部４は、表示部１Ａおよび１Ｂの表示情報を同時に変更して、携帯端末１を状態７０３から、状態７０４を介さずに状態７０５に変更してもよい。
【００５３】
その後、ユーザは、携帯端末を左側（筐体Ａ側）に傾けて、第一傾斜量を第一所定値以上にしたとする。このとき、制御部４は、表示部１Ａおよび１Ｂに表示されていた表示情報を縮小して表示部１Ａのみに表示して、携帯端末１を状態７０６にする。
【００５４】
以上説明したように、本実施形態によれば、筐体Ａに表示部１Ａが備わり、筐体Ｂに表示部１Ｂが備わっている。検出部２は、筐体ＡおよびＢの少なくとも一方の姿勢と、筐体ＡおよびＢ間の開閉角度とを検出する。実行部３は、アプリケーションを実行する。制御部４は、検出部２の検出結果に応じた表示スタイルでアプリケーションの表示情報（画面）を表示部１Ａおよび１Ｂの少なくとも一方に表示する。
【００５５】
この場合、筐体ＡおよびＢの少なくとも一方の姿勢と、筐体ＡおよびＢ間の開閉角度とに応じた表示スタイルの画面が表示される。このため、携帯端末の様々な使用スタイルに応じて、画面の表示スタイルを調整することが可能になるので、ユーザの利便性を向上させることが可能になる。
【００５６】
また、本実施形態では、制御部４は、仮想面上の開閉軸に垂直な第一方向の初期状態に対する、現在の第一方向の傾きの大きさである第一傾斜量が第一所定値以上であると、表示情報を、表示部１Ａおよび１Ｂのうち、その仮想面の第一方向が傾いた側の表示部に表示する。この場合、表示部の一方が筐体に隠れて見えづらくなった場合に、携帯端末１の持ち方を変えなくても、表示情報を全て視認することが可能になる。
【００５７】
また、本実施形態では、制御部４は、筐体ＡおよびＢの一方がその筐体に備わった表示部の法線を軸に第一所定角度以上回転されたか否かを判断する。筐体の一方が第一所定角度以上回転された場合、その筐体に備わった表示部に表示されている表示情報である回転対象表示情報の向きを、その筐体の回転方向とは逆方向に第二所定角度だけ回転させるとともに、その筐体とは別の筐体に備わった表示部に表示されている表示情報の向きを、回転対象表示情報と同じ向きにする。
【００５８】
このため、開閉角度が１８０°でなく、筐体ＡおよびＢが同じ軸を中心に回転しない場合でも、表示部１Ａおよび１Ｂのそれぞれの表示情報の向きを同じにすることが可能になる。
【００５９】
次に第二の実施形態を説明する。
【００６０】
図８は、本実施形態の携帯端末の構成を示すブロック図である。図８において、携帯端末１は、図２で示した構成に加えて、スピーカなどの音声出力部５をさらに含む。なお、音声出力部５は、筐体ＡおよびＢのそれぞれに備わっていてもよい。
【００６１】
本実施形態では、実行部３は、複数の割当アプリケーションのそれぞれを個別に筐体ＡおよびＢのいずれかに割り当てて実行することが可能である。なお、割当アプリケーションは、第二アプリケーションの一例である。
【００６２】
実行部３が第二アプリケーションを実行した場合、第一傾斜量が第二所定値以上であると、制御部４は、仮想面の第一方向が傾いた側の筐体に割り当てられた割当アプリケーションのみを動作させる。なお、第二所定値は、第一所定値と同じ値でもよい。
【００６３】
また、第一傾斜量が第二所定値未満の場合、制御部４は、各筐体に割り当てられた割当アプリケーションを動作させる。
【００６４】
図９は、本実施形態の携帯端末の動作を説明するための図である。図９では、楽曲データを再生するアプリケーションである音楽アプリが筐体Ａに割り当てられ、映像データを再生するアプリケーションである動画アプリが筐体Ｂに割り当てられている。また、筐体Ａおよび筐体Ｂがユーザから見て横に並んでおり、筐体Ａが左側にあり、筐体Ｂが右側にあるものとする。
【００６５】
仮想面が筐体Ａに傾いている場合、制御部４は、音楽アプリのみを動作させ、音楽アプリが再生した楽曲データに応じた音声を音声出力部５から出力する。
【００６６】
その後、ユーザが仮想面を正面に向けた場合、制御部４は、音楽アプリおよび動画アプリの両方を動作させ、動画アプリが再生した映像データに応じた動画像を表示部１Ｂに表示させるとともに、映像データおよび楽曲データに応じた音声のそれぞれを合成した合成音を音声出力部５から出力する。
【００６７】
さらにその後、ユーザが仮想面を筐体Ｂ側に傾けた場合、制御部４は、動画アプリのみを動作させ、動画アプリが再生した映像信号に応じた動画像を表示部１Ｂに表示させるとともに、映像信号に応じた音声を音声出力部５から出力する。
【００６８】
なお、音声出力部５が筐体ごとに設けられている場合、制御部４は、第一傾斜量が第二所定値以上であると、制御部４は、仮想面の第一方向が傾いた側の筐体に設けられた音声出力部５からのみ音声を出力してもよい。
【００６９】
本実施形態によれば、携帯端末を傾けるだけで、動作させるアプリケーションを切り替えることが可能になる。
【００７０】
次に第三の実施形態を説明する。
【００７１】
本実施形態の携帯端末の構成は、図８で示した構成と同じである。また、本実施形態では、実行部３は、筐体ＡおよびＢのそれぞれに個別に割り当てられた２つの単体機能と、表示部１Ａおよび１Ｂに共通する共通機能とを含む機能アプリケーションを実行する。なお、機能アプリケーションは、第三アプリケーションの一例である。
【００７２】
また、第一傾斜量が第三所定値以上の場合、制御部４は、仮想面の第一方向が傾いた側の筐体に割り当てられた単体機能を機能アプリケーションに行わせる。また、第一傾斜量が第三所定値未満の場合、制御部４は、共通機能を割当アプリケーションに行わせる。なお、第三所定値は、第一所定値と同じ値でもよい。
【００７３】
図１０は、本実施形態の携帯端末１の動作を説明するための図である。図１０では、実行部３は、機能アプリケーションとして、語学学習（英語学習）用のアプリケーションである語学学習アプリを実行する。語学学習アプリでは、筐体Ａに日本語の再生機能が割り当てられ、筐体Ｂに英語の再生機能が割り当てられ、共通機能として、日本語と英語の同時再生機能が備わっている。なお、筐体Ａおよび筐体Ｂがユーザから見て横に並んでおり、筐体Ａが左側にあり、筐体Ｂが右側にあるものとする。
【００７４】
仮想面が筐体Ａに傾いている場合、制御部４は、日本語再生機能を語学学習アプリに行わせ、日本語の再生機能に応じた日本語を音声出力部５から出力する。
【００７５】
その後、ユーザが仮想面を正面に向けた場合、制御部４は、日本語と英語の同時再生機能を語学学習アプリに行わせ、日本語と英語の同時再生機能に応じた日本語と英語の合成語を音声出力部５から出力する。
【００７６】
さらにその後、ユーザが仮想面を筐体Ｂ側に傾けた場合、制御部４は、英語の再生機能を語学学習アプリに行わせ、英語の再生機能に応じた英語を音声出力部５から出力する。
【００７７】
本実施形態では、携帯端末を傾けるだけで、アプリケーションの機能を切り替えることが可能になる。
【００７８】
次に第四の実施形態について説明する。
【００７９】
複数の人が同時に一つの携帯端末に表示されている表示情報を閲覧する場合において、複数の人が携帯端末を挟んで別々の方向から表示情報を閲覧することがある。このとき、表示情報が全て同じ向きであると、表示情報を逆向きから閲覧する人が現れ、その人にとっては表示情報の内容を確認しづらい。なお、複数の人が携帯端末を挟んで別々の方向から表示情報を閲覧する場合、筐体ＡおよびＢ間の角度を１８０°にして、仮想面を水平に近い状態で使用されることが多いと考えられる。
【００８０】
そこで、本実施形態では、第二傾斜量および第三傾斜量が第三閾値未満の場合、制御部４は、図１１Ａに示すように、表示部１Ａおよび１Ｂのそれぞれに、表示情報を互いに逆向きに表示する。
【００８１】
また、第二傾斜量または第三傾斜量が第三閾値以上の場合、制御部４は、図１１Ｂに示すように、表示部１Ａおよび１Ｂに表示されている表示情報の向きを同じにする。
【００８２】
本実施形態によれば、複数の人が携帯端末を挟んで別々の方向から表示情報を閲覧する場合でも、表示情報が逆向きから閲覧されることを軽減することが可能になる。
【００８３】
次に第五の実施形態について説明する。
【００８４】
本実施形態では、実行部３は、ユーザに通知するための通知情報を生成することがある通知アプリケーションを実行可能である。なお、通知アプリケーションは、例えば、電子メールの送受信を行う電子メールアプリケーションであり、通知情報は、電子メールを受信した旨の情報である。また、通知アプリケーションは、第四アプリケーションの一例である。
【００８５】
通常、筐体を開閉している場合により動く方の筐体に備わった表示部に通知情報が表示されると、その通知情報を確認することが困難であると考えられる。
【００８６】
そこで、通知アプリケーションが通知情報を生成すると、制御部４は、検出部２の検出結果に基づいて、筐体１Ａおよび１Ｂのうち、開閉軸を中心とする回転の回転量が少ない方の筐体を特定し、その筐体に備わった表示部に通知情報を表示する。
【００８７】
例えば、通知アプリケーションが通知情報を生成すると、制御部４は、検出結果に基づいて、一定期間内の、開閉角度の変化量と筐体Ａの向きの変化量とを求め、それらの変化量に基づいて、開閉軸を中心とする回転の回転量が少ない方の筐体を特定する。
【００８８】
本実施形態によれば、ユーザに通知情報を容易に確認させることが可能になる。
【００８９】
次に第六の実施形態について説明する。
【００９０】
図１２は、本実施形態の携帯端末の構成を示すブロック図である。図１２において、携帯端末は、図２で示した携帯端末１と比べて、検出部２の代わりに検出部１２を含む点が異なる。なお、本実施形態の携帯端末の概観は、図１と同じである。
【００９１】
検出部１２は、筐体ＡおよびＢのそれぞれの姿勢を検出する。より具体的には、検出部１２は、筐体Ａに備わった姿勢検出部１２Ａと、筐体Ｂに備わった姿勢検出部１２Ｂとを含む。
【００９２】
姿勢検出部１２Ａは、筐体Ａの姿勢を検出し、姿勢検出部１２Ｂは、筐体Ｂの姿勢を検出する。
【００９３】
制御部４は、実行部３にて実行されたアプリケーションが生成した表示情報を、検出部１２の検出結果に応じて表示スタイルを調整して表示部１Ａおよび１Ｂの少なくとも一方に表示する。
【００９４】
本実施形態でも、第一の実施形態と同様に表示スタイルを調整することができる。このため、ユーザの利便性を向上させることが可能になる。
【００９５】
次に第七の実施形態について説明する。
【００９６】
本実施形態では検出部２の検出結果と表示スタイルとの関係の具体例を説明する。
【００９７】
以下では、水平面をＸＺ平面とし、水平面に垂直な方向をＹ方向とする。また、筐体ＡおよびＢの開閉軸Ｃと各座標軸Ｘ、ＹおよびＺとの成す角度を、方位角度θｘ、θｙおよびθｚとする。
【００９８】
先ず、携帯端末１の状態として、筐体ＡおよびＢ間の開閉角度γが１８０°であり、筐体Ａの法線ベクトルがＹ方向に向いている第一状態（図１３Ａ）を考える。なお、携帯端末１は、方位角度θｘおよびθｙが９０°であり、方位角度θｚが０°となる向きに向いているとする。この第一状態では、表示情報は表示部１Ａおよび１Ｂの両方に表示されるが、表示情報の向きは特に限定されない。
【００９９】
第一状態から開閉角度γが変化せずに、筐体ＡがＸ軸を中心に４５°以上回転されたとする（図１３Ｂ）。この場合、表示情報は、図６Ｂで示したように表示部１Ａおよび１Ｂ上の開閉軸Ｃと平行な方向に沿って表示される（第二状態）。
【０１００】
また、第一状態から筐体Ａの姿勢が変化せずに開閉角度γが９０°〜１３５°の範囲内に変化したとする（図１３Ｃ）。この場合、表示情報は、図６Ａで示したように開閉軸Ｃと垂直な方向に沿って表示される（第三状態）。
【０１０１】
また、第二状態から筐体Ａの姿勢が変化せずに開閉角度γが９０°以下になったとする（図１３Ｄ）。これは、筐体ＢがＹ軸を中心に４５°以上回転し、かつ、筐体ＢがＺ軸を中心に４５°以上回転した場合に対応する。この場合、表示情報は、図５Ａで示したように表示部１Ａのみに表示される（第四状態）。
【０１０２】
また、第二状態から筐体ＡがＹ軸を中心に４５°以上回転し、筐体ＡがＺ軸を中心に４５°以上回転し、かつ、開閉角度γが９０°以下になったとする（図１３Ｅ）。この場合、表示情報は、図５Ｂで示したように表示部１Ｂのみに表示される（第五状態）。
【０１０３】
また、第三状態から筐体ＡがＸ軸を中心に９０°程度回転したとする（図１３Ｆ）。この場合、表示情報は、図６Ｂで示したように表示部１Ａおよび１Ｂ上の開閉軸Ｃと平行な方向に沿って表示される（第六状態）。
【０１０４】
そして、第六状態から筐体Ａが回転せずに、筐体ＢがＹ軸を中心に回転して開閉角度γが４５°に変化したとする（図１３Ｇ）。この場合、表示情報は、図５Ａで示したように表示部１Ａのみに表示される。
【０１０５】
以上説明した各実施形態において、図示した構成は単なる一例であって、本発明はその構成に限定されるものではない。
【０１０６】
例えば、表示部１Ａおよび１Ｂには、タッチパネルが備わっていてもよい。この場合、表示情報は、図１４で示したような、タッチパネルを介して種々の情報を入力するためのソフトウェアキーボードでもよい。
【０１０７】
この出願は、２０１０年８月５日に出願された日本出願特願２０１０−１７６２５４号公報を基礎とする優先権を主張し、その開示の全てをここに取り込む。
【図１】
2012017763.tif 000003
【図２】
2012017763.tif 000004
【図３】
2012017763.tif 000005
【図４】
2012017763.tif 000006
【図５Ａ】
2012017763.tif 000007
【図５Ｂ】
2012017763.tif 000008
【図５Ｃ】
2012017763.tif 000009
【図６Ａ】
2012017763.tif 000010
【図６Ｂ】
2012017763.tif 000011
【図７】
2012017763.tif 000012
【図８】
2012017763.tif 000013
【図９】
2012017763.tif 000014
【図１０】
2012017763.tif 000015
【図１１Ａ】
2012017763.tif 000016
【図１１Ｂ】
2012017763.tif 000017
【図１２】
2012017763.tif 000018
【図１３Ａ】
2012017763.tif 000019
【図１３Ｂ】
2012017763.tif 000020
【図１３Ｃ】
2012017763.tif 000021
【図１３Ｄ】
2012017763.tif 000022
【図１３Ｅ】
2012017763.tif 000023
【図１３Ｆ】
2012017763.tif 000024
【図１３Ｇ】
2012017763.tif 000025
【図１４】
2012017763.tif 000026
【国際調査報告】
2012017763.tif 000027
2012017763.tif 000028
2012017763.tif 000029